(57)【要約】  【課題】ＣＣＤの受光感度を有効に利用して、演色性の高い観察像を得られる内視鏡装置を提供すること。  【解決手段】内視鏡装置１は、照明光を出射するＬＥＤ群１２と、ＬＥＤ群１２から出射された照明光による被検体からの反射光をカラーフィルタ２４を介して受光し、光電変換して被検体の像に関わる画像信号を出力するＣＣＤ１５とを備え、ＬＥＤ群１２が出射する照明光のピーク波長と、カラーフィルタ２４を透過する光のピーク波長とを一致させている。【選択図】図２
2006345947.tif 000002
【特許請求の範囲】
【請求項１】
照明光を出射する固体発光素子と、
前記固体発光素子から出射された照明光による被検体からの反射光をカラーフィルタを介して受光し、光電変換して前記被検体の像に関わる画像信号を出力する固体撮像素子とを備え、
前記固体発光素子が出射する前記照明光のピーク波長と、前記カラーフィルタを透過する光のピーク波長とを一致させたことを特徴とする内視鏡装置。
【請求項２】
照明光を出射する固体発光素子と、
前記固体発光素子から出射された光による被検体からの反射光をカラーフィルタを介して受光し、光電変換して前記被検体の像に関わる画像信号を出力する固体撮像素子とを備え、
前記固体発光素子が出射する前記照明光の波長帯域に、前記カラーフィルタが透過する光のピーク波長が含まることを特徴とする内視鏡装置。
【請求項３】
前記カラーフィルタは、補色系のカラーフィルタであることを特徴とする請求項１、叉は請求項２に記載の内視鏡装置。
【発明の詳細な説明】
【技術分野】
【０００１】
本発明は、照明手段として固体発光素子を用い、撮像手段として固体撮像素子を用いた内視鏡装置に関する。
【背景技術】
【０００２】
近年、体腔内に細長の挿入部を挿入することにより、体腔内臓器等を観察したり、必要に応じて処置具チャンネル内に挿通した処置具を用いたりして各種治療処置のできる内視鏡装置が広く利用されている。また、電荷結合素子（ＣＣＤ）などの固体撮像素子を撮像手段に用いた電子内視鏡装置も種々提案され、広く利用されている。
【０００３】
これらの内視鏡装置の照明手段として、近年、発光ダイオードなどの固体発光素子（以下、ＬＥＤと示す）を用いたものが種々提案されている。内視鏡装置による病気の診断においては、臓器に生じた微妙な色の違いが認識できることが重要である。観察部位の像に正しい色再現性を得るためには、照明光として波長が４００ｎｍから７００ｎｍの波長領域にスペクトルを有した白色光を用いることが望ましい。このため、ＬＥＤを用いて構成される照明において、例えば、ブルー、グリーン、レッドの三色のＬＥＤを用い、これらＬＥＤを同時に発光させて混色させることにより白色を得ている。
【０００４】
上述のような三色のＬＥＤを用いた電子内視鏡では、図１２の従来の電子内視鏡の先端部を説明する概略図で示すように、先端部５０に対物レンズ５１と照明レンズ５２とが近接して配置されている。照明レンズ５２の基端側には、ブルーを発光するＬＥＤ５３ｂ、グリーンを発光するＬＥＤ５３ｇ、レッドを発光するＬＥＤ５３ｒが配設されている。これらＬＥＤ５３ｂ、５３ｇ、５３ｒを備えて構成されるＬＥＤ群５３は、図１３のブルー、グリーン、レッドの三色のＬＥＤを組み合わせたＬＥＤ群の光スペクトルを示す特性図に示すような特徴を有している。なお、図１３においては横軸に波長〔ｎｍ〕を、縦軸に相対発光強度をそれぞれ示している。
【０００５】
対物レンズ５１の基端側にはＣＣＤ５４が配置されている。ＣＣＤ５４には、光を電気信号に変換する画素を配列した受光面５５が設けられている。受光面５５の前面には、各画素に対して色情報をもたせるためのカラーフィルタ５６が設けられている。カラーフィルタ５６としては、光の透過率が高く、高感度、かつ高解像度の画像が得られるという利点があることから、例えば図１４の補色系カラーフィルタの透過特性を示す特性図に示すような、透過特性を有する、シアン、イエロー、マゼンダからなる補色系カラーフィルタが一般的に用いられる。なお、図１４において横軸に波長〔ｎｍ〕を、縦軸に相対透過率をそれぞれ示している。
【０００６】
白色光を得るＬＥＤの組合せとしては、上述した三色のＬＥＤの組合せに限定されるものではなく、例えばブルーのＬＥＤと、ブルーの補色であるイエローのＬＥＤとを組み合わせたもの、或いは、ブルーのＬＥＤにイエローの発光体を組み合わせたもの等が知られている。
【０００７】
例えば、ブルーのＬＥＤとイエローのＬＥＤとを用いた従来の他の内視鏡装置では、図１５の他の電子内視鏡の先端部を説明する概略図で示すように、先端部５７に設けられた対物レンズ５８の基端側に、ブルーを発光するＬＥＤ５９ｂとイエローを発光するＬＥＤ５９ｙとが設けられる。ＬＥＤ５９ｂとＬＥＤ５９ｙとで構成されるＬＥＤ群５９では、図１６のブルーのＬＥＤとイエローのＬＥＤとを組み合わせた白色光のスペクトルを示す特性図に示すような特性を有している。なお、図１６においては横軸に波長〔ｎｍ〕を、縦軸に相対発光強度をそれぞれ示している。
【０００８】
また、ブルーのＬＥＤにイエローの発光体を組合わせた従来の別の内視鏡装置では、図１７の別の内視鏡装置の先端部を説明する概略図で示すように、先端部６０に設けられた対物レンズ６１の基端側に、ブルーのＬＥＤ６２に対してイエローの蛍光体を組み込むことによって単一で擬似白色光を発光する。ブルーのＬＥＤ６２にイエローの蛍光体を組み込んだ、ＬＥＤ６２では、図１８のイエローの蛍光体を組み込んだブルーのＬＥＤの光スペクトルを示す特性図に示すような特性を有している。なお、図１８においては横軸に波長〔ｎｍ〕を、縦軸に相対発光強度をそれぞれ示している。
【０００９】
なお、図１５、及び図１７に示す内視鏡装置のＣＣＤに設けられるカラーフィルタとしては、図１２に示す内視鏡装置のカラーフィルタ５６と同様に、図１４に示す透過特性を有する補色系のカラーフィルタが用いられる。
【００１０】
例えば、特許文献１には、照明手段として、ブルー、グリーン、レッドの三色のＬＥＤを用い、撮像手段であるＣＣＤの先端側に、ブルー、グリーン、レッドからなる原色系のカラーフィルタを用いた内視鏡装置が提案されている。
【特許文献１】特許第２５９２４５５号公報
【発明の開示】
【発明が解決しようとする課題】
【００１１】
しかしながら、図１２で示した従来の内視鏡装置では、単一色である、ブルーのＬＥＤ５３ｂ、グリーンのＬＥＤ５３ｇ、レッドのＬＥＤ５３ｒを使用している。このため、それぞれのＬＥＤ５３ｂ、５３ｇ、５３ｒから出射される光スペクトルの波長帯域が狭くなっている。また、図１３に示すＬＥＤ群５３の光スペクトルの波長特性と、図１４に示すカラーフィルタ５６の透過特性とが一致していない。このため、ＬＥＤ群５３から出射された照明光は、カラーフィルタ５６を透過することで減衰されてしまう。すると、ＣＣＤ５４で受光される光量が少なくなって、観察像が暗くなり、演色性が低下するという問題が生じる。
【００１２】
一方、図１５で示したブルーのＬＥＤ５９ｂと、イエローのＬＥＤ５９ｙとの二色のＬＥＤを用いた内視鏡装置においても、図１６に示すＬＥＤ群５９の光スペクトルの波長特性と、図１４に示すカラーフィルタ５６の透過特性とが一致していない。更に、図１７に示すようにブルーのＬＥＤ６２にイエローの蛍光体を組み込むことによって単一で擬似白色を発光させる内視鏡装置においても、図１８に示すＬＥＤ６２の光スペクトルの波長特性と、図１４に示すカラーフィルタ５６の透過特性とが一致していない。このため、図１５、及び図１７に示した内視鏡装置においても、図１２に示した内視鏡装置と同様に、観察像が暗くなり、演色性が低下するという問題が生じる。
【００１３】
この問題を解決するために、観察像を明るくするために高輝度のＬＥＤを用いることが考えられる。しかし、その場合にはＬＥＤの放熱量が大きくなるため、放熱が不十分であるとＬＥＤの温度特性によって内視鏡装置を使用している間にＬＥＤの発光光量が低下して、やはり演色性が低下してしまう。また、ＬＥＤ近傍にＣＣＤが配置されている場合、ＬＥＤから発生する熱によってＣＣＤの温度が上昇し、撮像信号にノイズが発生して、内視鏡画像が不鮮明になってしまうという新たな問題も生じてしまう。
【００１４】
また、特許文献１に記載された内視鏡装置では、照明手段であるＬＥＤと、カラーフィルタとで、共にブルー、グリーン、レッドの原色系のもの用いることが記載されているものの、ＬＥＤの光スペクトルの波長特性や、カラーフィルタの透過特性については何ら記載されていない。従って、ＬＥＤの光スペクトルの波長特性と、カラーフィルタの透過特性とが一致しない可能性がある。このため、上述と同様に演色性が低下してしまう可能性がある。
【００１５】
本発明は上記事情に鑑みてなされたものであって、ＬＥＤとＣＣＤとを組み合わせた内視鏡装置において、ＣＣＤの受光感度を有効に利用して、演色性の高い観察像を得られる内視鏡装置を提供することを目的にしている。
【課題を解決するための手段】
【００１６】
本発明の内視鏡装置は、照明光を出射する固体発光素子と、前記固体発光素子から出射された照明光による被検体からの反射光をカラーフィルタを介して受光し、光電変換して前記被検体の像に関わる画像信号を出力する固体撮像素子とを備え、
前記固体発光素子が出射する前記照明光のピーク波長と、前記カラーフィルタを透過する光のピーク波長とが一致している。
【００１７】
この構成によれば、固体発光素子から照射されて、被検体で反射された光が減衰されることなくカラーフィルタを透過する。
【発明の効果】
【００１８】
本発明によれば、ＬＥＤとＣＣＤとを組み合わせた内視鏡装置において、ＣＣＤの受光感度を有効に利用して、演色性の高い観察像を得られる内視鏡装置を実現することができる。
【発明を実施するための最良の形態】
【００１９】
以下、図面を参照して本発明の実施の形態を説明する。
【００２０】
図１乃至図９は本発明の第１実施形態に係り、図１は内視鏡装置の全体構成を説明する概略図、図２は挿入部の先端部の構成を説明する概略図、図３はＬＥＤ群の光スペクトルを示す特性図、図４は撮像光学系の構成を説明する長手方向断面図、図５は図４のＶ−Ｖ線断面図、図６は保護枠とヒートシンクとの構造を説明する斜視図、図７は図４のＶＩＩ−ＶＩＩ線断面図、図８はカラーフィルタの部分拡大図、図９はカラーフィルタの透過特性を示す特性図である。
【００２１】
図１を参照して内視鏡装置の全体構成について説明する。  
図に示すように内視鏡装置１は、内視鏡２と、カメラコントロールユニット（以下、ＣＣＵと示す）３と、モニタ４とを備えて主に構成されている。内視鏡２は挿入部５と、操作部６と、ユニバーサルコード７とを備えている。挿入部５は被検体の体腔内に挿入される。挿入部５の内部には照明光学系、及び撮像光学系が備えられている。操作部６は挿入部５の後端に連設して構成されている。ユニバーサルコード７は操作部６の側方から延出されており、ユニバーサルコード７の端部はＣＣＵ３に接続されている。
【００２２】
ＣＣＵ３は、内視鏡２の撮像光学系から出力される撮像信号を信号処理して画像信号を生成したり、内視鏡２に設けられた照明光学系、及び撮像光学系を駆動する駆動信号を出力する。モニタ４にはＣＣＵ３から出力される画像信号が表示される。
【００２３】
図２に示すように挿入部５には照明光学系９と撮像光学系１０とが設けられている。挿入部５の先端部８には照明光学系９を構成する照明レンズ１１と、複数の発光ダイオードなどの固体発光素子（以下、ＬＥＤと示す）を備えたＬＥＤ群１２とが設けられている。ＬＥＤ群１２は、照明レンズ１１の後端側に設けられている。ＬＥＤ群１２の後端側からは伝送ケーブル１３が延出されている。この伝送ケーブル１３の基端部はＣＣＵ３に接続されている。
【００２４】
本実施の形態においてＬＥＤ群１２は三色の例えば、シアンを発光するＬＥＤ１２ｃと、イエローを発光するＬＥＤ１２ｙと、マゼンダを発光するＬＥＤ１２ｍとで構成されている。通常、被検体を観察する場合には、これらＬＥＤ１２ｃ、１２ｙ、１２ｍを同時に発光させる。
【００２５】
挿入部５の先端部８には撮像光学系１０を構成する対物レンズユニット１４と、固体撮像素子としてのＣＣＤ１５とが設けられている。対物レンズユニット１４は複数のレンズから構成され、照明レンズ１１と隣接して設けられている。ＣＣＤ１５は対物レンズユニット１４の結像位置に配設されている。ＣＣＤ１５には、対物レンズユニット１４を透過した被検体からの光を電気信号に変換する、図示しない複数の画素が規則的に配列して構成された受光面２３が設けられている。受光面２３の前面には、個々の画素に対して色情報をもたせるためのカラーフィルタ２４が設けられている。ＣＣＤ１５の後端側からは伝送ケーブル１６が延出されている。この伝送ケーブル１６の基端部はＣＣＵ３に接続されている。
【００２６】
図３に示すようにＬＥＤ群１２を構成するそれぞれのＬＥＤ１２ｃ、１２ｙ、１２ｍのピーク波長は異なっている。シアンを発光するＬＥＤ１２ｃはピーク波長が５００ｎｍ付近の光を発生させる。イエローを発光するＬＥＤ１２ｙはピーク波長が５５０ｎｍ付近の光を発生させる。マゼンダを発光するＬＥＤ１２ｍは４７０ｎｍ付近と６２０ｎｍ付近の２つのピーク波長を有する光を発生させる。
【００２７】
図４に示すように撮像光学系１０を構成する対物レンズユニット１４は所定の光学特性を有する複数の光学レンズ１４ａと、複数の枠体１４ｂ、１４ｃとで構成されている。ＣＣＤ１５は、例えばステンレスやニッケルなどの金属製の枠体である保護枠１７によって覆い囲まれている。保護枠１７の、長手方向中央部付近には切り欠き部１８が形成されている。図５、及び図６に示すように保護枠１７は長手方向の断面形状が例えば略八角形形状の枠体として構成されいてる。
【００２８】
撮像光学系１０を構成する保護枠１７には排熱手段であるヒートシンク１９が設けられるようになっている。ヒートシンク１９は、ＣＣＤ１５から発生する熱を排熱するとともに、ＬＥＤ群１２から発生されて撮像光学系１０に伝導される熱を排熱する。ヒートシンク１９は切り欠き部１８に配置される。このため、ヒートシンク１９には切り欠き部１８の切り欠き面１８ａに載置される段部１９ａが設けられている。ヒートシンク１９は段部１９ａより上方側を形作る上部と、段部１９ａより下方側を形作る下部とで構成されている。ヒートシンク１９の上部には、該ヒートシンク１９を保護枠１７に配設した状態において、該保護枠１７の外形を形作る斜面１９ｂが形成されている。これに対して、ヒートシンク１９の下部には、例えば基板２０ａ上に搭載された電子部品２０ｂとの逃がし部となる傾斜面１９ｃが形成されている。
【００２９】
このように、保護枠１７の所定位置に切り欠き部１８を設け、この切り欠き部１８にヒートシンク１９を配設する。このとき、段部１９ａが切り欠き面１８ａに載置されることによって、ヒートシンク１９が傾いて配置されることが防止される。よって、ヒートシンク１９がＣＣＤ１５等に接触する不具合を確実に防止して、該ヒートシンク１９がＣＣＤ１５、及び電子部品２０ｂの近傍に配置される。このことによって、ＣＣＤ１５や電子部品２０ｂから発生する熱を効果的に排熱することができる。また、ＬＥＤ群１２などで発生して撮像光学系１０に伝導された熱を効果的に排熱することができる。
【００３０】
したがって、ＣＣＤ１５の温度が上昇することが抑制されて、熱に起因するノイズが撮像信号にのることが抑制されて、鮮明な観察像を得られる。また、ＬＥＤ群１２の温度上昇を抑制して、ＬＥＤ１２ｃ、１２ｙ、１２ｍの発光光量の低下による不具合が防止され、観察像の演色性の向上を図れる。
【００３１】
なお、保護枠１７の内部、及び保護枠１７と伝送ケーブル１６との間には、例えば熱可塑性樹脂などの接着剤２１が充填されている。接着剤２１を充填することによって保護枠１７に対してヒートシンク１９が固定される等、保護枠１７と各部材とが一体的に構成される。保護枠１７、伝送ケーブル１６、及び接着剤２１の表面には、フッ素樹脂を含有したコーティング層２２が設けられている。コーティング層２２を設けることによって、接着剤２１に水蒸気や水分が付着して、この接着剤２１が加水分解することが防止される。
【００３２】
図７、及び図８を参照してカラーフィルタ２４について説明する。  
図に示すようにカラーフィルタ２４は補色系のカラーフィルタであって、顔料や染料を用いて染色された、シアンのカラーフィルタ２４ｃ、イエローのカラーフィルタ２４ｙ、マゼンダのカラーフィルタ２４ｍ、及び、グリーンのカラーフィルタ２４ｇを、所定の規則性に従って配置して構成されている。カラーフィルタ２４は、受光面２３に設けられた画素のそれぞれに対して、１つの色のフィルタが対応するように構成されている。
【００３３】
カラーフィルタ２４は、図９に示すような透過特性を有している。即ち、シアンのカラーフィルタ２４ｃは４９５ｎｍ付近の光を透過させる。また、イエローのカラーフィルタ２４ｙは５４５ｎｍ付近の光を透過させる。また、マゼンダのカラーフィルタ２４ｍは４４０ｎｍと６１５ｎｍ付近の光を透過させる。また、グリーンのカラーフィルタ２４ｇは５２０ｎｍ付近の光を透過させる。
【００３４】
本実施形態においては、カラーフィルタ２４ｃ、２４ｙ、２４ｍとして、透過される光のピーク波長が、それぞれＬＥＤ１２ｃ、１２ｙ、１２ｍから発光される光スペクトルのピーク波長とほぼ等しくなる透過特性を有するフィルタが選択され、そして、所定の位置に設置されている。
【００３５】
このように、ＬＥＤ１２ｃ、１２ｙ、１２ｍから発光される光スペクトルのピーク波長と、カラーフィルタ２４ｃ、２４ｙ、２４ｍを透過する光のピーク波長とをほぼ等しく設定している。このことによって、ＬＥＤ群１２から照射される照明光による被検体からの反射光がカラーフィルタ２４を透過する際に減衰する度合いを低減させることができる。したがって、ＣＣＤ１５の受光感度を有効に利用して、演色性の高い観察像を得られる。
【００３６】
また、ヒートシンク２０を設けることが可能な保護枠１７でＣＣＤ１５の周囲を覆っている。このことにより、ＬＥＤ群１２から発生して撮像光学系１０に伝導された熱を効果的に排熱して、ＬＥＤ群１２の温度が上昇することを抑制することができるとともに、ＣＣＤ１５の温度が上昇することを抑制することができる。したがって、演色性が高く、かつ鮮明な観察像を得られる。
【００３７】
なお、本実施形態においては、ＬＥＤ群１２として、シアン、イエロー、マゼンダを発光する三色のＬＥＤ１２ｃ、１２ｙ、１２ｍを用いているが、マゼンダがブルーとレッドの混色である性質を利用するようにしてもよい。即ち、マゼンダのＬＥＤ１２ｍの替わりにブルーを発光するＬＥＤとレッドを発光するＬＥＤとを用いる。或いは、ブルーのＬＥＤにレッドの蛍光体を組み込んで擬似的にマゼンダを発光させる。
【００３８】
また、上述した三色のＬＥＤ１２ｃ、１２ｙ、１２ｍに加えて、グリーンを発光するＬＥＤを組み合わせてＬＥＤ群１２を構成するようにしてもよい。グリーンのＬＥＤを組み合わせることで、グリーンのカラーフィルタ２４ｇにおける被検体からの光の減衰の度合いを低減することができる。このことによって、観察像の演色性が更に向上する。また、ＣＣＤ１５から出力される撮像信号の中で、グリーンの色信号が輝度の情報を最も多く含む。このため、ＣＣＤ１５においてグリーンの受光感度が高めて、観察像の解像度の向上を図れる。
【００３９】
また、本実施の形態においては補色系のカラーフィルタ２４を用いているが、カラーフィルタはこれに限定されるものではなく、ＬＥＤ群１２から発光される光スペクトルのピーク波長が、透過される光のピーク波長と一致するように透過特性が調整されたカラーフィルタであれば適用可能である。
【００４０】
例えば、ＬＥＤ群としてブルー、グリーン、レッドの光をそれぞれ発光する原色系の三色のＬＥＤを用いた場合、これらのＬＥＤから発光される光スペクトルのピーク波長と一致するように透過特性を調整した、ブルー、グリーン、レッドの原色系のカラーフィルタを使用する。原色系のＬＥＤ、及びカラーフィルタを用いた場合にも、このように発光される光の波長特性、及び透過される光の透過特性を一致させることによって、ＣＣＤ１５の受光感度を有効に利用して、演色性の高い観察像を得られる。
【００４１】
更に、ＬＥＤ群１２を挿入部５の先端部８に配置する替わりに、例えば操作部６の内部に配置したり、光源装置を別に設け、この中にＬＥＤ群１２を配置するようにしてもよい。この場合、ＬＥＤ群１２で照射された照明光を、ライドガイドを用いて先端部８へ導光する。
【００４２】
図１０、及び図１１は本発明の第２実施形態に係り、図１０は挿入部の先端部の他の構成を説明する概略図、図１１はＬＥＤの光スペクトルを示す特性図である。  
なお、本実施形態においては照明光学系９Ａに設けられたＬＥＤ３１の構成が異なる点を除き、第１実施形態の構成と同様である。そのため、照明光学系９Ａの構成についてのみ説明し、同部材については同符号を付して説明を省略する。
【００４３】
図１０に示すように本実施形態の照明光学系９Ａは、先端部８Ａの先端側に設けられた照明レンズ１１と、照明レンズ１１の後端側に設けられたＬＥＤ３１とで構成されている。本実施形態のＬＥＤ３１は単体のＬＥＤであって、ＳｒＣａＢａＭｇ）５（ＰＯ４）３Ｃｌ：Ｅｕ、ＬａＰＯ４：Ｃｅ,Ｔｂ、Ｙ２Ｏ３：Ｅｕなどの蛍光体を含み、紫外光を発光することで、ブルー、シアン、グリーン、イエロー、レッドを蛍光発光させる。
【００４４】
ＬＥＤ３１は、図１１に示すような波長特性を有する。一般に、蛍光体による発光を用いたＬＥＤは、蛍光体を用いず単一色発光のＬＥＤよりも発光帯域が広い特徴を有している。図１１に示すように本実施形態のＬＥＤ３１は、４００ｎｍから７００ｎｍまでの波長帯域にわたる広帯域の光を発光させる。
【００４５】
なお、撮像光学系１０は先端部８Ａの先端側に、照明レンズ１１と隣接して設けられている。撮像光学系１０は対物レンズユニット１４と、ＣＣＤ１５とを備え、ＣＣＤ１５の前面には第１の実施形態と同様の透過特性を有するカラーフィルタ２４が設けられている。
【００４６】
このように構成することで、ＣＣＤ１５のカラーフィルタ２４においては４４０ｎｍ、４９５ｎｍ、５４５ｎｍ、６１５ｎｍにピーク波長を有し、この近傍の波長の光を透過させる特性を有する。これに対して、ＬＥＤ３１においては、４００ｎｍから７００ｎｍの波長帯域の光を発光される。したがって、カラーフィルタ２４を透過される光のピーク波長が含まれるような波長帯域の光を発光させるＬＥＤ３１を用いることで、ＬＥＤ３１から照射される照明光による被検体からの反射光がカラーフィルタ２４を透過する際に減衰する度合いを低減させることができる。このことによって、ＣＣＤ１５の受光感度を有効に利用して、演色性の高い観察像を得られる。
【００４７】
なお、本実施形態においては、ブルー、シアン、グリーン、イエロー、レッドを発光させる蛍光体を組み込んだＬＥＤを用いているが、ブルー、グリーン、レッドを発光させる蛍光体を組み込んだＬＥＤを用いるようにしてもよい。
【００４８】
尚、本発明は、以上述べた実施形態のみに限定されるものではなく、発明の要旨を逸脱しない範囲で種々変形実施可能である。
【図面の簡単な説明】
【００４９】
【図１】図１乃至図９は本発明の第１実施形態に係り、図１は内視鏡装置の全体構成を説明する概略図
【図２】挿入部の先端部の構成を説明する概略図
【図３】ＬＥＤ群の光スペクトルを示す特性図
【図４】撮像光学系の構成を説明する長手方向断面図
【図５】図４のＶ−Ｖ線断面図
【図６】保護枠とヒートシンクとの構造を説明する斜視図
【図７】図４のＶＩＩ−ＶＩＩ線断面図
【図８】カラーフィルタの部分拡大図
【図９】カラーフィルタの透過特性を示す特性図
【図１０】図１０、及び図１１は本発明の第２実施形態に係り、図１０は挿入部の先端部の他の構成を説明する概略図
【図１１】ＬＥＤの光スペクトルを示す特性図
【図１２】従来の電子内視鏡の先端部を説明する概略図
【図１３】ブルー、グリーン、レッドの三色のＬＥＤを組み合わせたＬＥＤ群の光スペクトルを示す特性図
【図１４】補色系カラーフィルタの透過特性を示す特性図
【図１５】他の電子内視鏡の先端部を説明する概略図
【図１６】ブルーのＬＥＤとイエローのＬＥＤとを組み合わせた白色光のスペクトルを示す特性図
【図１７】別の内視鏡装置の先端部を説明する概略図
【図１８】イエローの蛍光体を組み込んだブルーのＬＥＤの光スペクトルを示す特性図
【符号の説明】
【００５０】
１…内視鏡装置    ２…内視鏡    ３…ＣＣＵ    ５…挿入部    ６…操作部
９…照明光学系    １０…撮像光学系    １２…ＬＥＤ群    １５…ＣＣＤ
２４…カラーフィルタ、
【図１】
2006345947.tif 000003
【図２】
2006345947.tif 000004
【図３】
2006345947.tif 000005
【図４】
2006345947.tif 000006
【図５】
2006345947.tif 000007
【図６】
2006345947.tif 000008
【図７】
2006345947.tif 000009
【図８】
2006345947.tif 000010
【図９】
2006345947.tif 000011
【図１０】
2006345947.tif 000012
【図１１】
2006345947.tif 000013
【図１２】
2006345947.tif 000014
【図１３】
2006345947.tif 000015
【図１４】
2006345947.tif 000016
【図１５】
2006345947.tif 000017
【図１６】
2006345947.tif 000018
【図１７】
2006345947.tif 000019
【図１８】
2006345947.tif 000020